【手続補正書】
【提出日】平成18年1月20日(2006.1.20)
【手続補正１】
【補正対象書類名】明細書
【補正対象項目名】発明の名称
【補正方法】変更
【補正の内容】
【発明の名称】情報処理装置及び情報処理方法
【手続補正２】
【補正対象書類名】明細書
【補正対象項目名】特許請求の範囲
【補正方法】変更
【補正の内容】
【特許請求の範囲】
【請求項１】
入力された音声を音声認識する音声認識手段と、
前記音声認識手段の作動開始要求を受け付ける受付手段と、
出力情報を出力する出力手段と、
前記出力手段による情報の出力を中断する指示を出す中断指示手段とを備え、
前記受付手段が前記作動開始要求を受け付けた場合に、前記中断指示手段が前記出力情報の出力を中断する指示を出し、該出力情報の出力が中断した後に入力された音声を前記音声認識手段が音声認識する
ことを特徴とする情報処理装置。
【請求項２】
前記出力手段が情報を出力中であるか否かを判定する出力判定手段をさらに備え、
前記出力判定手段によって前記出力手段が情報を出力中であると判定されている間に前記受付手段が前記作動開始要求を受け付けた場合に、前記中断指示手段が前記出力手段に対して情報の出力を中断する指示を出し、該出力手段における情報の出力が中断した後に入力された音声を前記音声認識手段が音声認識することを特徴とする請求項１記載の情報処理装置。
【請求項３】
前記出力情報を受信する受信手段と、
前記出力手段が前記出力情報の出力を中断した後に前記受信手段が受信した前記出力情報を格納する格納手段と
をさらに備えることを特徴とする請求項１に記載の情報処理装置。
【請求項４】
前記出力手段が、前記出力情報を印刷出力することを特徴とする請求項１乃至３のいずれかに記載の情報処理装置。
【請求項５】
入力された音声を音声認識する音声認識手段と、
前記音声認識手段が音声認識中であるか否かを判定する音声認識判定手段と、
印刷情報を印刷する印刷手段と、
前記印刷情報を受信する受信手段と、
前記印刷情報を格納する格納手段とを備え、
前記音声認識手段による音声認識中に、前記受信手段が前記印刷情報を受信した場合、前記格納手段が該印刷情報を格納し、前記印刷手段は、前記音声認識手段による音声認識が終了した後、前記格納手段に格納された該印刷情報を印刷することを特徴とする情報処理装置。
【請求項６】
前記音声認識手段が音声認識中の場合、前記受信手段が前記印刷情報を受信している時にランプの点灯又は液晶画面を含む画面表示によって受信状態を知らせる表示手段をさらに備えることを特徴とする請求項５に記載の情報処理装置。
【請求項７】
前記受信手段が、画像データを含む前記印刷情報を、電話回線又はネットワークを介して受信することを特徴とする請求項５又は６に記載の情報処理装置。
【請求項８】
前記印刷判定手段が、前記印刷手段による印刷前の原稿枚数のカウントから印刷後のソータ移動を含む次の印刷操作が可能になるまでの間におけるすべての印刷に関する処理の間を印刷中であると判定することを特徴とする請求項５乃至７のいずれかに記載の情報処理装置。
【請求項９】
前記音声認識判定手段が、音声認識結果のトークバックを含む音声認識処理までの間を音声認識中であると判定することを特徴とする請求項５に記載の情報処理装置。
【請求項１０】
入力された音声を音声認識する音声認識手段と出力情報を出力する出力手段とを備える情報処理装置の情報処理方法であって、
前記音声認識手段の作動開始要求を受け付ける受付工程と、
前記作動開始要求を受け付けた場合、前記出力手段による前記出力情報の出力を中断する指示を出す中断指示工程と、
前記中断指示工程による指示により前記出力手段の出力が中断した後で入力された音声を音声認識する音声認識工程と
を有することを特徴とする情報処理方法。
【請求項１１】
前記作動開始要求を受け付けた場合に、前記出力手段が情報を出力中であるか否かを判定する出力判定工程をさらに有し、
前記中断指示工程は、前記出力判定工程によって前記出力手段が情報を出力中であると判定している間に前記作動開始要求を受け付けた場合、前記出力手段による前記出力情報の出力を中断する指示を出すことを特徴とする請求項１０に記載の情報処理方法。
【請求項１２】
前記情報処理装置が前記出力情報を格納する格納手段をさらに備え、
前記出力情報を受信する受信工程と、
前記出力手段が前記出力情報の出力を中断した後に受信された前記出力情報を前記格納手段に格納する格納工程と
をさらに有することを特徴とする請求項１０に記載の情報処理方法。
【請求項１３】
前記音声認識手段が音声認識を終了した後、前記格納手段に格納された前記出力情報を出力する出力工程をさらに有することを特徴とする請求項１２に記載の情報処理方法。
【請求項１４】
前記出力が印刷出力であることを特徴とする請求項１１乃至１３のいずれかに記載の情報処理方法。
【請求項１５】
入力された音声を音声認識する音声認識手段と、印刷情報を印刷する印刷手段と、印刷情報を格納する格納手段とを備える情報処理装置の情報処理方法であって、
前記音声認識手段が音声認識中であるか否かを判定する音声認識判定工程と、
前記音声認識手段による音声認識中に、前記印刷情報を受信した場合、該印刷情報を前記格納手段に格納する格納工程と、
前記音声認識手段による音声認識が終了した後、前記格納手段に格納された該印刷情報を印刷する印刷工程と
を有することを特徴とする情報処理方法。
【請求項１６】
前記音声認識手段が音声認識中の場合、前記印刷情報を受信している時にランプの点灯又は液晶画面を含む画面表示によって受信状態を知らせる表示工程をさらに有することを特徴とする請求項１５に記載の情報処理方法。
【請求項１７】
前記受信工程が、前記印刷情報を電話回線又はネットワークを介して受信することを特徴とする請求項１５又は１６に記載の情報処理方法。
【請求項１８】
前記印刷判定工程が、前記印刷手段による印刷前の原稿枚数のカウントから印刷後のソータ移動を含む次の印刷操作が可能になるまでの間におけるすべての印刷に関する処理の間を印刷中であると判定することを特徴とする請求項１５乃至１７のいずれかに記載の情報処理方法。
【請求項１９】
前記音声認識判定工程が、音声認識結果のトークバックを含む音声認識処理までの間を音声認識中であると判定することを特徴とする請求項１５に記載の情報処理方法。
【請求項２０】
コンピュータに、入力された音声を認識する音声認識手段と出力情報を出力する出力手段とを備える情報処理装置を制御させるためのプログラムであって、
前記音声認識手段の作動開始要求を受け付ける受付手順と、
前記作動開始要求を受け付けた場合、前記出力手段による前記出力情報の出力を中断する指示を出す中断指示手順と、
前記中断指示手順による指示により前記出力手段の出力が中断した後で入力された音声を音声認識する音声認識手順と
を実行させるためのプログラム。
【請求項２１】
コンピュータに、入力された音声を認識する音声認識手段と、印刷情報を印刷する印刷手段と、印刷情報を格納する格納手段とを備える情報処理装置を制御させるためのプログラムであって、
前記音声認識手段が音声認識中であるか否かを判定する音声認識判定手順と、
前記音声認識手段による音声認識中に、前記印刷情報を受信した場合、該印刷情報を前記格納手段に格納する格納手順と、
前記音声認識手段による音声認識が終了した後、前記格納手段に格納された該印刷情報を印刷する印刷手順と
を実行させるためのプログラム。
【手続補正３】
【補正対象書類名】明細書
【補正対象項目名】０００６
【補正方法】変更
【補正の内容】
【０００６】
本発明は、このような事情を考慮してなされたものであり、出力中の動作音による音声認識の認識率の低下を防ぐことができる情報処理装置及び情報処理方法を提供することを目的とする。
【手続補正４】
【補正対象書類名】明細書
【補正対象項目名】０００７
【補正方法】変更
【補正の内容】
【０００７】
【課題を解決するための手段】
上記課題を解決するために、本発明に係る情報処理装置は、入力された音声を音声認識する音声認識手段と、前記音声認識手段の作動開始要求を受け付ける受付手段と、出力情報を出力する出力手段と、前記出力手段による情報の出力を中断する指示を出す中断指示手段とを備え、前記受付手段が前記作動開始要求を受け付けた場合に、前記中断指示手段が前記出力情報の出力を中断する指示を出し、該出力情報の出力が中断した後に入力された音声を前記音声認識手段が音声認識することを特徴とする。
【手続補正５】
【補正対象書類名】明細書
【補正対象項目名】０００８
【補正方法】変更
【補正の内容】
【０００８】
また、本発明に係る上記情報処理装置は、前記出力手段が情報を出力中であるか否かを判定する出力判定手段をさらに備え、前記出力判定手段によって前記出力手段が情報を出力中であると判定されている間に前記受付手段が前記作動開始要求を受け付けた場合に、前記中断指示手段が前記出力手段に対して情報の出力を中断する指示を出し、該出力手段における情報の出力が中断した後に入力された音声を前記音声認識手段が音声認識することを特徴とする。
さらに、本発明に係る上記情報処理装置は、前記出力情報を受信する受信手段と、前記出力手段が前記出力情報の出力を中断した後に前記受信手段が受信した前記出力情報を格納する格納手段とをさらに備えることを特徴とする。
【手続補正６】
【補正対象書類名】明細書
【補正対象項目名】０００９
【補正方法】変更
【補正の内容】
【０００９】
さらにまた、本発明に係る上記情報処理装置は、前記出力手段が、前記出力情報を印刷出力することを特徴とする。
【手続補正７】
【補正対象書類名】明細書
【補正対象項目名】００１０
【補正方法】変更
【補正の内容】
【００１０】
さらにまた、本発明に係る情報処理装置は、入力された音声を音声認識する音声認識手段と、前記音声認識手段が音声認識中であるか否かを判定する音声認識判定手段と、印刷情報を印刷する印刷手段と、前記印刷情報を受信する受信手段と、前記印刷情報を格納する格納手段とを備え、前記音声認識手段による音声認識中に、前記受信手段が前記印刷情報を受信した場合、前記格納手段が該印刷情報を格納し、前記印刷手段は、前記音声認識手段による音声認識が終了した後、前記格納手段に格納された該印刷情報を印刷することを特徴とする。
【手続補正８】
【補正対象書類名】明細書
【補正対象項目名】００１１
【補正方法】変更
【補正の内容】
【００１１】
さらにまた、本発明に係る上記情報処理装置は、前記音声認識手段が音声認識中の場合、前記受信手段が前記印刷情報を受信している時にランプの点灯又は液晶画面を含む画面表示によって受信状態を知らせる表示手段をさらに備えることを特徴とする。
【手続補正９】
【補正対象書類名】明細書
【補正対象項目名】００１２
【補正方法】変更
【補正の内容】
【００１２】
さらにまた、本発明に係る上記情報処理装置は、前記受信手段が、画像データを含む前記印刷情報を、電話回線又はネットワークを介して受信することを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
さらにまた、本発明に係る上記情報処理装置は、前記印刷判定手段が、前記印刷手段による印刷前の原稿枚数のカウントから印刷後のソータ移動を含む次の印刷操作が可能になるまでの間におけるすべての印刷に関する処理の間を印刷中であると判定することを特徴とする。
【手続補正１２】
【補正対象書類名】明細書
【補正対象項目名】００１５
【補正方法】変更
【補正の内容】
【００１５】
さらにまた、本発明に係る上記情報処理装置は、前記音声認識判定手段が、音声認識結果のトークバックを含む音声認識処理までの間を音声認識中であると判定することを特徴とする。